(57)【要約】      （修正有）【課題】コンクリート打設用治具及び該治具を用いたコンクリート打設装置を提供する。【解決手段】略バケット型の形状を呈し、底部にコンクリートの投入口１１を設けた本体部１と、前記本体と連通する錐形状を呈し、頂部にコンクリートの打設口２１を設けたガイド部２と、前記打設口を開閉する開閉装置３とにより、コンクリート打設用治具Ａを構成する。該治具をショベルクレーン等の重機のブームＢ先端に取り付けることにより、コンクリート打設装置を構成する。【選択図】図１
0003153543.tif 000002
【実用新案登録請求の範囲】
【請求項１】
ショベルクレーンのブーム先端に取り付けるコンクリート打設用治具であって、
略バケット型の形状を呈し、底部にコンクリートの投入口を設けた本体部と、
前記本体と連通する錐形状を呈し、頂部にコンクリートの打設口を設けたガイド部と、
前記打設口を開閉する開閉装置と、を有することを特徴とする、
コンクリート打設用治具。
【請求項２】
該治具の外面に枕部を設けてあることを特徴とする、請求項１に記載のコンクリート打設用治具。
【請求項３】
請求項１又は２に記載のコンクリート打設用治具をブーム先端に備えたショベルクレーン型のコンクリート打設装置であって、前記治具を所定の位置までチルトバックした際に、クレーン機能のロックを解除する制御手段、及びブームから露出する係止手段を備えることを特徴とする、ショベルクレーン型のコンクリート打設装置。
【考案の詳細な説明】
【技術分野】
【０００１】
本考案は、コンクリート打設用治具及び該治具を用いたショベルクレーン型のコンクリート打設装置に関する。
【背景技術】
【０００２】
現場でのコンクリート打設には、ミキサ車から吐き出されたコンクリートをポンプや配管装置を組み合わせてなる専用の打設装置を用い、コンクリートを所定の打設位置まで運搬して打設することが行われている。
【０００３】
しかし、専用の打設装置を用いると工費の負担が大きいため、当該専用の打設装置を用いることなく、既存の重機を活用してコンクリートを打設することが望まれている。
【０００４】
上記希望を満たす技術として、本願出願人は、特許文献１に記載されるバックホウのバケット部分に取り付けるコンクリート打設用治具（アタッチメント）を考案した。前記コンクリート打設用治具は、筒状の本体と、前記本体の下縁に設けた接続具と、前記本体上端の投入口分を露出又は遮蔽するように設けてある開閉装置を設ける構成とし、既存のバックホウに当該治具を取り付けることにより、バックホウをコンクリート打設機として使用することができるようにしたものである。
【先行技術文献】
【特許文献】
【０００５】
【特許文献１】実用新案登録第３１４８１９０号公報
【考案の概要】
【考案が解決しようとする課題】
【０００６】
しかし、前記特許文献１に記載の発明においては、未だ下記の問題を解決すべき改良が求められている。
（１）投入口（打設口）がバケットの上方に兼用される形で設けてあるため、バケットをブームの内側方向に回動させた状態（いわゆる、チルトバック状態）でコンクリートの投入を行う必要が生じる。前記チルトバック状態では、ブームと運転席との間に投入口が位置するため、コンクリートの投入作業時にブームが干渉しないようにミキサー車等の位置を調整する必要が生じる。
（２）コンクリートの投入時及び打設時には、バケット部分の天地を入れ替える必要が生じるため、一工程あたりの打設機の動作量が多くなる。
【０００７】
したがって、
【課題を解決するための手段】
【０００８】
上記課題を解決すべくなされた本願の第１考案は、ショベルクレーンのブーム先端に取り付けるコンクリート打設用治具であって、略バケット型の形状を呈し、底部にコンクリートの投入口を設けた本体部と、前記本体と連通する錐形状を呈し、頂部にコンクリートの打設口を設けたガイド部と、前記打設口を開閉する開閉装置と、を有することを特徴とする、コンクリート打設用治具を要旨とするものである。
【０００９】
また、本願の第２考案は該治具の外面に枕部を設けてあることを特徴とするものである。
【００１０】
また、本願の第３考案は、前記第１考案又は第２考案に記載のコンクリート打設用治具をブーム先端に備えたショベルクレーン型のコンクリート打設装置であって、前記治具を所定の位置までチルトバックした際に、クレーン機能のロックを解除する制御手段、及びブームから露出する係止手段を備えることを特徴とする、ショベルクレーン型のコンクリート打設装置をその要旨とするものである。
【考案の効果】
【００１１】
本願考案によれば、以下の効果のうち少なくとも一つを得ることができる。
（１）本体の底部に別途投入口を設けたため、チルトバック状態とすることなくコンクリートの投入作業を行うことができる。
（２）コンクリート投入時に、外面に設けた枕部が接地し治具本体を支持するため、コンクリート投入作業時の安定性が向上する。
（３）打設治具を所定の位置までチルトバックした場合に限り、クレーン機能のロックを解除し、さらにクレーン用の係止手段が露出するため、クレーン機能への切り替え作業に際して安全性が向上する。
【図面の簡単な説明】
【００１２】
【図１】本願考案の打設用治具の第一実施例を示す図
【図２】コンクリートを投入する際の打設用治具の状態を示す図
【図３】コンクリートを打設する際の打設用治具の状態を示す図
【考案を実施するための形態】
【００１３】
以下、本願考案の一実施例について、図面を参照しながら説明する。
【実施例１】
【００１４】
図１は、本考案の打設用治具の第一実施例を示す図である。
本考案の打設用治具Ａは、ショベルクレーン等の重機のブームＢの先端部分に取り付けられる治具であり、本体部１と、ガイド部２と、開閉装置３と、を有する。
【００１５】
本体部１は、略バケット型の形状を呈する部材であり、該本体部１の底部を開口してなるコンクリートの投入口１１を設けてある。
本体部１は、ブームへの取付機構を予め備える既存のバケット等を用いて製作することにより、新規に製作するよりも安価かつ短期に製作することができる。
【００１６】
ガイド部２は、本体の投入口分と連通する部材であって、多角形または円形などの錐形状を呈し、前記本体部１と連結される部材である。前記錐形状の頂部には、コンクリートの打設口２１を設けておく。
【００１７】
ガイド部２の錐形状を構成する傾斜角度は、チルトバック時に治具ＡとブームＢとの干渉を極力回避すべく、ブーム側の傾斜角度を該ブームの反対側の傾斜角度よりも緩やかに形成し、打設口２１の開口位置をブーム側の反対方向へとずらした位置に配しておくことが望ましい。
更に、打設口２１を、チルトバック時においてブームＢから遠ざかる方向を向くように形成しておけば、打設口２１とブームＢとの干渉をより回避することができる。
【００１８】
開閉装置３は、前記打設口２１を解放或いは遮蔽する部材であって、打設口２１を塞ぐ蓋部材３１と、前記蓋部材を作動させる作動機構３２からなる。前記作動機構３２には、ショベルクレーンが元々備える油圧機構等を用いることができ、オペレータによって操作可能に構成することができる。
【００１９】
開閉装置３の作動装置は、別途リモコン等のコントローラを設ける形としてもよい。打設治具の近傍に別途リモコンを設けた場合には、打設場所で待機する作業員が打設位置を目視確認しつつ開閉作業を行うことができるため、オペレータから見えづらい場所においても、正確な打設作業が可能となる。
【００２０】
また、本考案のコンクリート打設用治具の外面には図１のように接地用の枕部４を設けておくことができる。枕部４は、前記投入口１１が上方に向けて開口してある状態の際に、地表に最初に接地する位置に設けてあり、枕部４が接地することで本体部１やガイド部２が地面に接触しないように構成されている。当該構成により打設用治具Ａ全体が枕部４によって支持されるため、コンクリート投入時の安定性が向上する。
【００２１】
図２は、コンクリートを投入する際の打設用治具の状態を示す図である、
コンクリート投入時には、投入口１１が上方を向くように打設用治具Ａが回動される。この位置関係によりミキサー車のホッパ等から投入口１１へ容易にコンクリートの投入が可能となる。
【００２２】
図３は、コンクリートを打設する際の打設用治具の状態を示す図である、
コンクリート打設時には、打設口２１が下方を向くように打設用治具Ａを回動する。このとき、打設口２１は蓋部材によって閉口（遮蔽）されている。
そして、所定の打設位置へと打設口２１を位置決めした後、前記開閉装置３をオペレータ或いは打設現場の作業員が作動することにより、打設口を開口（解放）し、コンクリートを打設する。
【００２３】
適量に打設が完了した際には、開閉装置３を作動して打設口２１を閉口することにより、打設作業を止める。したがって治具内にコンクリートが残っている場合であっても治具本体を回動させることなく、打設を終了することができる。
【００２４】
以上説明した通り、本考案によれば、既存のショベルクレーン等の重機の先端部分を本願考案の打設用治具に置き換える作業のみで、コンクリート打設装置を提供することができる。
また、打設作業時における打設用治具の回動動作を最小限にすることができ、工期の短縮に寄与する。
また、打設用治具が枕部によって支持されるため、治具へのコンクリート投入時における治具全体の安定性向上に寄与する。
【実施例２】
【００２５】
また、本考案の打設用治具をブーム先端に備えたショベルクレーンは、更にブームから露出するクレーン用の係止手段、及びクレーン機能のロックを解除する制御手段とを備えることもできる。
本実施例によれば、打設用治具を所定の位置までチルトバックさせない限り、クレーン機能のロックが解除されないため、作業の安全性の向上に寄与する。
また、ガイド部２が錐形状を呈しているため、チルトバック時においても、治具ＡとブームＢとの干渉を極力回避することができる。
【符号の説明】
【００２６】
１    本体部
１１  投入口
２    ガイド部
２１  打設口
３    開閉装置
３１  蓋部材
３２  作動機構
４    枕部
Ａ    打設用治具
Ｂ    ブーム
【図１】
0003153543.tif 000003
【図２】
0003153543.tif 000004
【図３】
0003153543.tif 000005